(57)【要約】      （修正有）【課題】光の輝度を向上させることができるプラズマディスプレイパネル、プラズマディスプレイ装置及びプラズマディスプレイ装置の駆動方法を提供する。【解決手段】プラズマディスプレイパネル、スキャン駆動部、第１アドレス駆動部、及び第２アドレス駆動部を含む。プラズマディスプレイパネルは複数のスキャン電極の内、少なくとも一つが複数個のアドレス電極と交差する領域に対応する複数個の放電セルを含む。スキャン駆動部は複数のスキャン電極にスキャンパルスを供給する。第１アドレス駆動部は複数のアドレス電極の内、一部にデータパルスを供給する。第２アドレス駆動部は複数のアドレス電極の内、一部に供給されたデータパルスの供給を受けて、一部を除いた残りのアドレス電極の内、少なくとも一つにデータパルスを供給する。【選択図】図１
2007294460.tif 000002
【特許請求の範囲】
【請求項１】
複数のスキャン電極を含む第１パネルと、
前記複数のスキャン電極と交差する複数のアドレス電極を含む第２パネルと、
前記複数のスキャン電極の内、少なくとも一つが前記複数のアドレス電極と交差する領域に対応する４個の放電セルを区画する隔壁と、
前記４個の放電セルから互いに異なる光を放出する複数の蛍光体と、を含むプラズマディスプレイパネル。
【請求項２】
前記複数の蛍光体は、レッド蛍光体、グリーン蛍光体、ブルー蛍光体及び第４蛍光体を含むことを特徴とする、請求項１記載のプラズマディスプレイパネル。
【請求項３】
前記第４蛍光体はホワイト蛍光体であることを特徴とする、請求項２記載のプラズマディスプレイパネル。
【請求項４】
前記複数のスキャン電極は、第１スキャン電極及び第２スキャン電極を含み、
前記４個の放電セルの内、一部は前記第１スキャン電極に対応し、
前記一部の放電セルを除いた残りの放電セルは前記第２スキャン電極に対応することを特徴とする、請求項１記載のプラズマディスプレイパネル。
【請求項５】
前記４個の放電セルは前記複数のスキャン電極の内、一つのスキャン電極に対応することを特徴とする、請求項１記載のプラズマディスプレイパネル。
【請求項６】
前記隔壁で取り囲まれた放電セルそれぞれの面積は実質的に同一であることを特徴とする、請求項１記載のプラズマディスプレイパネル。
【請求項７】
前記隔壁にチャンネルが形成されたことを特徴とする、請求項１記載のプラズマディスプレイパネル。
【請求項８】
複数のスキャン電極の内、少なくとも一つが複数のアドレス電極と交差する領域に対応する複数個の放電セルを含むプラズマディスプレイパネルと、
前記複数のスキャン電極にスキャンパルスを供給するスキャン駆動部と、
前記複数のアドレス電極の内、一部にデータパルスを供給する第１アドレス駆動部と、  前記複数のアドレス電極の内、一部に供給されたデータパルスの供給を受けて、前記一部を除いた残りのアドレス電極の少なくとも一つにデータパルスを供給する第２アドレス駆動部と、
を含むプラズマディスプレイ装置。
【請求項９】
前記第２アドレス駆動部は、前記一部のアドレス電極に供給されたハイレベルのデータパルスの供給を受けて、残りのアドレス電極の少なくとも一つにハイレベルのデータパルスを供給することを特徴とする、請求項８記載のプラズマディスプレイ装置。
【請求項１０】
前記第２アドレス駆動部は、前記一部のアドレス電極に供給されたハイレベルのデータパルスの供給を受けて、残りのアドレス電極の少なくとも一つに供給されるデータパルスを形成するアンドゲートを含むことを特徴とする、請求項８記載のプラズマディスプレイ装置。
【請求項１１】
前記一部のアドレス電極に対応する放電セルにはレッド蛍光体、グリーン蛍光体及びブルー蛍光体が位置し、残りのアドレス電極の内、少なくとも一つに対応する放電セルには第４蛍光体が位置することを特徴とする、請求項８記載のプラズマディスプレイ装置。
【請求項１２】
前記第４蛍光体はホワイト蛍光体であることを特徴とする、請求項１１記載のプラズマディスプレイ装置。
【請求項１３】
前記複数個のスキャン電極は第１スキャン電極及び第２スキャン電極を含み、
前記放電セルの内、一部は前記第１スキャン電極に対応し、
前記一部を除いた残りの放電セルの少なくとも一つは前記第２スキャン電極に対応することを特徴とする、請求項８記載のプラズマディスプレイ装置。 "
【請求項１４】
前記放電セルは前記複数のスキャン電極の内、一つのスキャン電極に対応することを特徴とする、請求項８記載のプラズマディスプレイ装置。
【請求項１５】
前記隔壁に区画された放電セルそれぞれの面積は実質的に同一であることを特徴とする、請求項８記載のプラズマディスプレイ装置。
【請求項１６】
前記隔壁にチャンネルが形成されたことを特徴とする、請求項８記載のプラズマディスプレイ装置。
【請求項１７】
複数のスキャン電極の内、少なくとも一つが複数個のアドレス電極と交差する領域に対応する複数個の放電セルを含むプラズマディスプレイ装置の駆動方法において、
前記複数のスキャン電極にスキャンパルスを供給する段階と、
前記複数のアドレス電極の内、一部にデータパルスを供給する段階と、
前記複数のアドレス電極の内、一部に供給されたデータパルスの供給を受けて、前記一部を除いた残りアドレス電極の少なくとも一つにデータパルスを供給する段階と、
を含むプラズマディスプレイ装置の駆動方法。
【請求項１８】
前記複数のアドレス電極の内、一部に供給されたハイレベルのデータパルスの供給を受けて、前記一部を除いた残りのアドレス電極にハイレベルのデータパルスを供給することを特徴とする、請求項１７記載のプラズマディスプレイ装置の駆動方法。
【請求項１９】
前記一部のアドレス電極に対応する放電セルにはレッド蛍光体、グリーン蛍光体及びブルー蛍光体が位置して、残りのアドレス電極に対応する放電セルには第４蛍光体が位置することを特徴とする、請求項１７記載のプラズマディスプレイ装置の駆動方法。
【請求項２０】
前記第４蛍光体はホワイト蛍光体であることを特徴とする、請求項１７記載のプラズマディスプレイ装置の駆動方法。
【発明の詳細な説明】
【技術分野】
【０００１】
本発明はプラズマディスプレイパネル、プラズマディスプレイ装置及びプラズマディスプレイ装置の駆動方法に関する。
【背景技術】
【０００２】
プラズマディスプレイ装置はプラズマディスプレイパネルと駆動部を含む。プラズマディスプレイパネルは隔壁によって区画された放電セルを含む。駆動部がプラズマディスプレイパネルの電極に駆動信号を供給すると、駆動信号によって放電が放電セルで発生し、放電が放電セル内部の蛍光体を励起させて、蛍光体が光を放出する。
【０００３】
プラズマディスプレイ装置はサブフィールドの組み合わせによって階調を表現する。すなわち、プラズマディスプレイ装置は各サブフィールド間で光を外部に放出して、サブフィールドそれぞれで外部に放出された光量の和によって階調が表現される。
【０００４】
各サブフィールドはリセット期間、アドレス期間及びサステイン期間を含む。リセット期間の間にプラズマディスプレイパネルの放電セル全体の壁電荷が均一に形成される。アドレス期間の間に光を放出する放電セルが選択される。サステイン期間の間に選択された放電セルから光が放出される。
【発明の開示】
【発明が解決しようとする課題】
【０００５】
本発明の目的は、光の輝度を向上させることができるプラズマディスプレイパネルとプラズマディスプレイ装置及びプラズマディスプレイ装置の駆動方法を提供するすることにある。
【課題を解決するための手段】
【０００６】
本発明のプラズマディスプレイ装置は、複数のスキャン電極を含む第１パネルと、前記複数のスキャン電極と交差する複数のアドレス電極を含む第２パネルと、前記複数のスキャン電極の内、少なくとも一つが前記複数のアドレス電極と交差する領域に対応する４個の放電セルを区画する隔壁と、前記４個の放電セルから互いに異なる光を放出する複数の蛍光体と、を含む。
【０００７】
前記複数の蛍光体は、レッド蛍光体、グリーン蛍光体、ブルー蛍光体及び第４蛍光体を含むことが好ましい。
【０００８】
前記第４蛍光体はホワイト蛍光体であることが好ましい。
【０００９】
前記複数のスキャン電極は、第１スキャン電極及び第２スキャン電極を含み、前記４個の放電セルの内、一部は前記第１スキャン電極に対応し、前記一部の放電セルを除いた残りの放電セルは前記第２スキャン電極に対応することが好ましい。
【００１０】
前記４個の放電セルは前記複数のスキャン電極の内、一つのスキャン電極に対応することが好ましい。
【００１１】
前記隔壁で取り囲まれた放電セルそれぞれの面積は実質的に同一であることが好ましい。
【００１２】
前記隔壁にチャンネルが形成されることが好ましい。
【００１３】
また、本発明の実施形態に係るプラズマディスプレイ装置は、複数のスキャン電極の内、少なくとも一つが複数のアドレス電極と交差する領域に対応する複数個の放電セルを含むプラズマディスプレイパネルと、前記複数のスキャン電極にスキャンパルスを供給するスキャン駆動部と、前記複数のアドレス電極の内、一部にデータパルスを供給する第１アドレス駆動部と、前記複数のアドレス電極の内、一部に供給されたデータパルスの供給を受けて、前記一部を除いた残りのアドレス電極の少なくとも一つにデータパルスを供給する第２アドレス駆動部と、を含む。
【００１４】
前記第２アドレス駆動部は、前記一部のアドレス電極に供給されたハイレベルのデータパルスの供給を受けて、残りのアドレス電極の少なくとも一つにハイレベルのデータパルスを供給することが好ましい。
【００１５】
前記第２アドレス駆動部は、前記一部のアドレス電極に供給されたハイレベルのデータパルスの供給を受けて、残りのアドレス電極の少なくとも一つに供給されるデータパルスを形成するアンドゲートを含むことが好ましい。
【００１６】
前記一部のアドレス電極に対応する放電セルにはレッド蛍光体、グリーン蛍光体及びブルー蛍光体が位置し、残りアドレス電極の内、少なくとも一つに対応する放電セルには第４蛍光体が位置することが好ましい。
【００１７】
前記第４蛍光体はホワイト蛍光体であることが好ましい。
【００１８】
前記複数個のスキャン電極は第１スキャン電極及び第２スキャン電極を含み、前記放電セルの内、一部は前記第１スキャン電極に対応し、前記一部を除いた残りの放電セルの少なくとも一つは前記第２スキャン電極に対応することが好ましい。
【００１９】
前記放電セルは前記複数のスキャン電極の内、一つのスキャン電極に対応することが好ましい。
【００２０】
前記隔壁に区画された放電セルそれぞれの面積は実質的に同一であることが好ましい。
【００２１】
前記隔壁にチャンネルが形成されることが好ましい。
【００２２】
また、複数のスキャン電極の内、少なくとも一つが複数個のアドレス電極と交差する領域に対応する複数個の放電セルを含む本発明のプラズマディスプレイ装置の駆動方法は、前記複数のスキャン電極にスキャンパルスを供給する段階と、前記複数のアドレス電極の内、一部にデータパルスを供給する段階と、前記複数のアドレス電極の内、一部に供給されたデータパルスの供給を受けて、前記一部を除いた残りのアドレス電極の少なくとも一つにデータパルスを供給する段階と、を含む。
【００２３】
前記複数のアドレス電極の内、一部に供給されたハイレベルのデータパルスの供給を受けて、前記一部を除いた残りのアドレス電極にハイレベルのデータパルスを供給することが好ましい。
【００２４】
前記一部のアドレス電極に対応する放電セルにはレッド蛍光体、グリーン蛍光体及びブルー蛍光体が位置して、残りのアドレス電極に対応する放電セルには第４蛍光体が位置することが好ましい。
【００２５】
前記第４蛍光体はホワイト蛍光体であることが好ましい。
【発明の効果】
【００２６】
本発明のプラズマディスプレイパネル、プラズマディスプレイ装置及びプラズマディスプレイ装置の駆動方法は、光の輝度を向上させることができる。
【発明を実施するための最良の形態】
【００２７】
以下では本発明に係る具体的な実施形態を図面を参照して説明する。
【００２８】
図１は本発明の第１実施形態に係るプラズマディスプレイパネルを示したものである。図１に示されたように、本発明の第１実施形態に係るプラズマディスプレイパネルは、第１パネル１００、第２パネル２００、隔壁３００及び複数の蛍光体（Ｒ、Ｇ、Ｂ、Ｗ）を含む。
【００２９】
第１パネル１００は複数のスキャン電極１０１及び複数のサステイン電極１０２を含む。スキャン電極１０１とサステイン電極１０２は第１基板（ＳＵＢ１）上に配置される。スキャン電極１０１とサステイン電極１０２それぞれは透明電極（１０１ａ、１０２ａ）とバス電極（１０１ｂ、１０２ｂ）を含む。透明電極（１０１ａ、１０２ａ）はＩＴＯ（Ｉｎｄｕｍ Ｔｉｎ Ｏｘｉｄｅ）で形成されて、駆動電圧の供給によって放電を拡散させる。バス電極（１０１ｂ、１０２ｂ）は小さな抵抗を持った金属からなる。第１誘電体層１０３はスキャン電極１０１とサステイン電極１０２を覆う。第１誘電体層１０３によってスキャン電極１０１とサステイン電極１０２は互いに絶縁される。保護層１０４は第１誘電体層１０３上に位置して、ＭｇＯからなる。保護層１０４は二次電子を放出することで放電の発生を容易にする。
【００３０】
第２パネル２００は複数のスキャン電極１０１及びサステイン電極１０２と交差する複数個のアドレス電極２０１を含む。アドレス電極２０１は第２基板（ＳＵＢ２）上に配置される。第２誘電体層２０２はアドレス電極２０１を絶縁させる。隔壁３００は複数のスキャン電極１０１の内少なくとも一つが複数個のアドレス電極２０１と交差する領域に対応する４個の放電セル（Ｃ１、Ｃ２、Ｃ３、Ｃ４）を区切る。
【００３１】
３個の放電セル（Ｃ１、Ｃ２、Ｃ３）は、デルタタイプに配置される。複数のアドレス電極２０１は互いに隣接した第１乃至第４アドレス電極（２０１ａ、２０１ｂ、２０１ｃ、２０１ｄ）を含み、複数個のスキャン電極２０１は第１スキャン電極（１０１Ａ）及び第２スキャン電極（１０１Ｂ）を含む。４個の放電セル（Ｃ１、Ｃ２、Ｃ３、Ｃ４）の内、二つの放電セル（Ｃ１、Ｃ２）は第１スキャン電極（１０１Ａ）、第１アドレス電極（２０１ａ）及び第２アドレス電極（２０１ｂ）が交差する領域に対応する。残り放電セル（Ｃ３、Ｃ４）は第２スキャン電極（１０１Ｂ）と、第３アドレス電極（２０１ｃ）及び第４アドレス電極（２０１ｄ）が交差する領域に対応する。
【００３２】
蛍光体は放電セル内部に位置する。４個の放電セル（Ｃ１、Ｃ２、Ｃ３、Ｃ４）内部には互いに異なる光を出す複数の蛍光体が位置する。複数の蛍光体は赤色光を出すレッド（ＲＥＤ）蛍光体（Ｒ）、緑色光を出すグリーン（ＧＲＥＥＮ）蛍光体（Ｇ）、青色光を出すブルー（ＢＬＵＥ）蛍光体（Ｂ）及び第４蛍光体を含む。第４蛍光体はホワイト（ＷＨＩＴＥ）蛍光体（Ｗ）であってもよい。このような４個の放電セル（Ｃ１、Ｃ２、Ｃ３、Ｃ４）が一つのピクセルを成す。
【００３３】
図２は本発明の第２実施形態に係るプラズマディスプレイパネルを示したものである。第１実施形態では、ピクセルを構成する一部の放電セル内で２個の放電セルが一つのスキャン電極に対応するが、第２実施形態では、ピクセルを構成する４個の放電セルが一つのスキャン電極に対応する。
【００３４】
すなわち、複数のアドレス電極２０１は、互いに隣接した第１乃至第４アドレス電極（２０１ａ、２０１ｂ、２０１ｃ、２０１ｄ）を含み、４個の放電セル（Ｃ１、Ｃ２、Ｃ３、Ｃ４）は複数のスキャン電極１０１の内、一つのスキャン電極（１０１Ａ又は１０１Ｂ）と第１乃至４アドレス電極（２０１ａ、２０１ｂ、２０１ｃ、２０１ｄ）が交差する領域に対応する。４個の放電セル（Ｃ１、Ｃ２、Ｃ３、Ｃ４）が一つのピクセルを成す。
【００３５】
図３は本発明の第１実施形態に係るプラズマディスプレイパネルの放電セル配置を示したものである。図３に示されたように、本発明の第１実施形態に係るプラズマディスプレイパネルのピクセルは、デルタタイプに配置された３個の放電セル(Ｃ１、Ｃ２及びＣ３)と異なる一つの放電セル（Ｃ４）を含む。４個の放電セル（Ｃ１、Ｃ２、Ｃ３及びＣ４）それぞれには、ＲＥＤ蛍光体（Ｒ）、ＧＲＥＥＮ蛍光体（Ｇ）、ＢＬＵＥ蛍光体（Ｂ）及びＷＨＩＴＥ蛍光体（Ｗ）が形成される。４個の放電セル（Ｃ１、Ｃ２、Ｃ３及びＣ４）それぞれの面積は実質的に同一であってもよい。４個の放電セル（Ｃ１、Ｃ２、Ｃ３及びＣ４）それぞれの面積が同一であれば、プラズマディスプレイパネルの製造が容易になる。また、４個の放電セル（Ｃ１、Ｃ２、Ｃ３及びＣ４）の内、少なくとも一つの面積が残りの放電セルの面積と異なってもよい。例えば、ＢＬＵＥ蛍光体（Ｂ）の発光効率が残りの蛍光体の発光効率より低い場合がある。このとき、放電セル（Ｃ３）の面積が残りの放電セル（Ｃ１、Ｃ２、及びＣ４）の面積より大きければ、色温度及び色座標が維持される。
【００３６】
図３に示されたように、互いに隣接する放電セルの間にチャンネルが形成される。例えば、放電セル（Ｃ１）と放電セル（Ｃ２）の間の隔壁にチャンネル（ＣＨ１）が形成される。また、一つの放電セルの内部と外部を連結するチャンネルが形成される。例えば、放電セル（Ｃ２）を取り囲む隔壁（ＢＲ）に放電セル（Ｃ２）の内部と外部を連結するチャンネル（ＣＨ２）が位置する。したがって、チャンネル（ＣＨ１）とチャンネル（ＣＨ２）は互いに繋がれる。チャンネル（ＣＨ１）とチャンネル（ＣＨ２）は排気を円滑にする。チャンネル（ＣＨ１）とチャンネル（ＣＨ２）によって排気が円滑に行われると、放電セル内の汚染物質が減少し、放電セルが放出する光の輝度が増加する。
【００３７】
図４は本発明の実施形態に係るプラズマディスプレイ装置を示したものである。図４に示されたように、本発明の実施形態に係るプラズマディスプレイ装置は、プラズマディスプレイパネル４００、スキャン駆動部４１０、第１アドレス駆動部４２０、第２アドレス駆動部４３０及びサステイン駆動部４４０を含む。
【００３８】
プラズマディスプレイパネル４００は、複数のスキャン電極（Ｙ１乃至Ｙｎ）の内、少なくとも一つが複数個のアドレス電極（Ｘ１乃至Ｘｍ）と交差する領域に対応する複数の放電セルを含む。
【００３９】
スキャン駆動部４１０は放電セルの壁電荷を均一にさせるためのリセットパルスをスキャン電極（Ｙ１乃至Ｙｎ）に供給する。また、スキャン駆動部４１０は複数のスキャン電極（Ｙ１乃至Ｙｎ）に光を放出する放電セルを選択するためのスキャンパルスを供給する。さらに、スキャン駆動部４１０はサステインパルスをスキャン電極（Ｙ１乃至Ｙｎ）に供給することで選択された放電セルから光が放出されるようにする。
【００４０】
第１アドレス駆動部４２０は、複数のアドレス電極の内、一部にデータパルスを供給する。 例えば、第１アドレス駆動部４２０は４個の放電セルに対応する４個のアドレス電極の内、１個、２個または３個にスキャンパルスと同期するデータパルスを供給する。
【００４１】
第２アドレス駆動部４３０は、複数のアドレス電極の内、一部に供給されたデータパルスの供給を受けて、一部を除いた残りのアドレス電極の少なくとも一つにデータパルスを供給する。例えば、第１アドレス駆動部４２０が４個のアドレス電極の内、３個にデータパルスを供給すれば、第２アドレス駆動部４３０は３個のアドレス電極に供給されたデータパルスの供給を受けて、残り１個のアドレス電極に供給されるデータパルスを生成する。
【００４２】
第１アドレス駆動部４２０及び第２アドレス駆動部４３０の動作を図５Ａ及び図５Ｂを参照して詳しく説明する。
【００４３】
図５Ａ及び図５Ｂは、図４の第１アドレス電極駆動部４２０及び第２アドレス電極駆動部４３０の動作の一例を示す。図５Ａに示す放電セルの配置は、図１のプラズマディスプレイパネルの放電セルの配置と同一である。ＲＥＤ放電セル（Ｃ１）、ＧＲＥＥＮ放電セル（Ｃ２）、ＢＬＵＥ放電セル（Ｃ３）及びＷＨＩＴＥ放電セル（Ｃ４）が一つのピクセルを形成する。ＲＥＤ放電セル（Ｃ１）、ＧＲＥＥＮ放電セル（Ｃ２）、ＢＬＵＥ放電セル（Ｃ３）及びＷＨＩＴＥ放電セル（Ｃ４）それぞれには、ＲＥＤ蛍光体、ＧＲＥＥＮ蛍光体、ＢＬＵＥ蛍光体及びＷＨＩＴＥ蛍光体が位置する。ＲＥＤ放電セル（Ｃ１）、ＧＲＥＥＮ放電セル（Ｃ２）、ＢＬＵＥ放電セル（Ｃ３）及びＷＨＩＴＥ放電セル（Ｃ４）はデルタタイプに配列される。
【００４４】
放電セルそれぞれはスキャン電極１０１及びサステイン電極１０２と、アドレス電極（２０１ａ、２０１ｂ、２０１ｃ、２０１ｄ）が交差する領域に当たる。なお、図面番号１０１ａと１０２ａはスキャン電極１０１及びサステイン電極１０２の透明電極であり、図面番号１０１ｂと１０２ｂはスキャン電極１０１及びサステイン電極１０２のバス電極である。
【００４５】
図４の第２アドレス駆動部４３０は、一部のアドレス電極（２０１ａ、２０１ｂ、２０１ｃ）に供給されたハイレベルのデータパルスの供給を受けて、残りのアドレス電極（２０１ｄ）の内、少なくとも一つに供給されるハイレベルのデータパルスを生成する。
【００４６】
すなわち、第２アドレス駆動部４３０は、一部のアドレス電極（２０１ａ、２０１ｂ、２０１ｃ）に供給されたハイレベルのデータパルスの供給を受けて、残りのアドレス電極（２０１ｄ）の内、少なくとも一つに供給されるデータパルスを形成するアンドゲート（ＡＮＤ）を含む。
【００４７】
一部のアドレス電極（２０１ａ、２０１ｂ、２０１ｃ）に対応する放電セル(Ｃ１、Ｃ２、Ｃ３)にはそれぞれレッド蛍光体、グリーン蛍光体及びブルー蛍光体が位置して、残りのアドレス電極（２０１ｄ）に対応する放電セル（Ｃ４）には第４蛍光体が位置する。なお、第４蛍光体はホワイト蛍光体であってもよい。
【００４８】
これによって、ＲＥＤ放電セル（Ｃ１）、ＧＲＥＥＮ放電セル（Ｃ２）、ＢＬＵＥ放電セル（Ｃ３）が選択される時にだけＷＨＩＴＥ放電セル（Ｃ４）が選択される。すなわち、ＲＥＤ放電セル（Ｃ１）、ＧＲＥＥＮ放電セル（Ｃ２）、ＢＬＵＥ放電セル（Ｃ３）が同時に光を放出する時、ＷＨＩＴＥ放電セル（Ｃ４）が光を放出する。ＲＥＤ放電セル（Ｃ１）、ＧＲＥＥＮ放電セル（Ｃ２）、ＢＬＵＥ放電セル（Ｃ３）の光放出によって白色光が放出されて、ＷＨＩＴＥ放電セル（Ｃ４）も白色光を放出するので、輝度及び発光効率が増加する。
【００４９】
図５Ａに示されたように、複数個のスキャン電極は第１スキャン電極（１０１Ａ）及び第２スキャン電極（１０１Ｂ）を含む。放電セルの内、一部、すなわち、ＲＥＤ放電セル（Ｃ１）、ＧＲＥＥＮ放電セル（Ｃ２）は、第１スキャン電極（１０１Ａ）に対応して、一部を除いた残り放電セルの内、少なくとも一つ、すなわちＢＬＵＥ放電セル（Ｃ３）及びＷＨＩＴＥ放電セル（Ｃ４）は第２スキャン電極（１０１Ｂ）に対応する。
【００５０】
図５Ｂに示された放電セルの配置は、図２のプラズマディスプレイパネルの放電セルの配置と同一である。ＲＥＤ放電セル（Ｃ１）、ＧＲＥＥＮ放電セル（Ｃ２）、ＢＬＵＥ放電セル（Ｃ３）及びＷＨＩＴＥ放電セル（Ｃ４）が一つのピクセルを形成する。一つのピクセルを成す放電セル（Ｃ１、Ｃ２、Ｃ３及びＣ４）は、一つのスキャン電極（１０１Ａ又は１０１Ｂ）に対応する。図５Ｂのアンドゲート（ＡＮＤ）の動作は、図５Ａのアンドゲート（ＡＮＤ）の動作と同一であるから、詳細な説明は略する。
【００５１】
図６は図４の第１アドレス電極駆動部４２０及び第２アドレス電極駆動部４３０の動作の他の一例を示す。図５ＡではＲＥＤ放電セル（Ｃ１）、ＧＲＥＥＮ放電セル（Ｃ２）、ＢＬＵＥ放電セル（Ｃ３）及びＷＨＩＴＥ放電セル（Ｃ４）が一つのピクセルを成すが、図６ではＲＥＤ放電セル（Ｃ１）、ＧＲＥＥＮ放電セル（Ｃ２）、ＢＬＵＥ放電セル（Ｃ３）及びもう一つのＢＬＵＥ放電セル（Ｃ４’）が一つのピクセルを形成する。
【００５２】
図６のアンドゲート（ＡＮＤ）は、一部のアドレス電極（２０１ａ、２０１ｃ）に供給されたハイレベルのデータパルスの供給を受けて、残りのアドレス電極（２０１ｄ’）に供給されるハイレベルのデータパルスを生成する。一つのピクセルを形成する放電セル（Ｃ１、Ｃ２、Ｃ３、Ｃ４’）には、それぞれレッド蛍光体、グリーン蛍光体、ブルー蛍光体及び第４蛍光体であるブルー蛍光体が位置する。
【００５３】
図６のアンドゲート（ＡＮＤ）は、ＲＥＤ放電セル（Ｃ１）及びＢＬＵＥ放電セル（Ｃ３）が選択される時、もう一つのＢＬＵＥ放電セル（Ｃ４’）が選択される。これによって、青色光の輝度が増加して、画面の色相を調節することができる。
【００５４】
図５Ａ、図５Ｂまたは図６で隔壁に取り囲まれた放電セルそれぞれの面積は実質的に同一であってもよい。
【図面の簡単な説明】
【００５５】
【図１】本発明の第１実施形態に係るプラズマディスプレイパネルを示す図。
【図２】本発明の第２実施形態に係るプラズマディスプレイパネルを示す図。
【図３】本発明の第１実施形態に係るプラズマディスプレイパネルの放電セル配置を示す図。
【図４】本発明の実施形態に係るプラズマディスプレイ装置を示す図。
【図５Ａ】図４の第１アドレス電極駆動部及び第２アドレス電極駆動部の動作の一例を示す図。
【図５Ｂ】図４の第１アドレス電極駆動部及び第２アドレス電極駆動部の動作の一例を示す図。
【図６】図４の第１アドレス電極駆動部及び第２アドレス電極駆動部の動作の他の一例を示す図。
【図１】
2007294460.tif 000003
【図２】
2007294460.tif 000004
【図３】
2007294460.tif 000005
【図４】
2007294460.tif 000006
【図５Ａ】
2007294460.tif 000007
【図５Ｂ】
2007294460.tif 000008
【図６】
2007294460.tif 000009